(57)【要約】      （修正有）【課題】ケース部材から測定テープを直線状に長く突出させることができる巻尺を提供する。【解決手段】巻尺は測定テープ１０とケース部材とを備えている。測定テープ１０は、短手方向ＳＤにおいて、中央部１０ｃと、一方端部１０ａおよび他方端部１０ｂとを含み、かつ湾曲している。開口部２０ａは、底部２３と天井部２４とが対向する第１の方向Ｄ１に交差する第２の方向Ｄ２における底部２３の一方端から第１の方向Ｄ１に突出するように設けられた第１の凸部２１と、第２の方向Ｄ２における底部２３の他方端から第１の方向Ｄ１に突出するように設けられた第２の凸部２２とを含んでいる。一方端部１０ａが第１の凸部２１に支持され、かつ他方端部１０ｂが第２の凸部２２に支持された状態で、中央部１０ｃは第１の方向Ｄ１において底部２３と間隔をあけて配置されている。【選択図】図４
2014106193.tif 000002
【特許請求の範囲】
【請求項１】
互いに対向する一方表面および他方表面を有し、直線状の状態から巻き込まれた状態へと変形可能であり、かつ前記巻き込まれた状態から前記直線状の状態へ復元しようとする測定テープと、
前記測定テープを前記巻き込まれた状態で保持可能な内部空間と、前記内部空間に連通し、前記測定テープを前記直線状の状態で出し入れ可能な開口部とを有するケース部材とを備え、
前記測定テープは、短手方向において、中央部と、前記中央部を挟む一方端部および他方端部とを含み、かつ
前記一方表面側から前記他方表面側に向かって前記中央部が前記一方端部および前記他方端部よりも突出するように湾曲しており、
前記開口部は、底部と、前記底部と対向する天井部と、前記底部と前記天井部とが対向する第１の方向に交差する第２の方向における前記底部の一方端から前記第１の方向に突出するように設けられた第１の凸部と、前記第２の方向における前記底部の他方端から前記第１の方向に突出するように設けられた第２の凸部とを含み、
前記一方端部が第１の凸部に支持され、かつ前記他方端部が第２の凸部に支持された状態で、前記中央部は前記第１の方向において前記底部と間隔をあけて配置されている、巻尺。
【請求項２】
前記第１の凸部は前記一方端部に沿うように設けられた第１の傾斜辺を含み、
前記第２の凸部は前記他方端部に沿うように設けられた第２の傾斜辺を含み、
前記第２の方向において前記第１の傾斜辺の前記底部に沿う線となす第１の角度は、前記測定テープの前記一方端部が前記第１の凸部に支持された状態での前記短手方向における前記一方端部の前記中央部の前記他方表面の中心に対する接線となす第３の角度よりも大きく、
前記第２の方向において前記第２の傾斜面の前記底部に沿う線となす第２の角度は、前記測定テープの前記他方端部が前記第２の凸部に支持された状態での前記短手方向における前記他方端部の前記中央部の前記他方表面の中心に対する接線となす第４の角度よりも大きい、請求項１に記載の巻尺。
【請求項３】
前記測定テープの前記一方端部が前記第１の凸部に支持されていない状態での前記短手方向における前記一方端部の前記中央部の前記他方表面の中心に対する接線となす第５の角度は、前記第３の角度よりも小さく、
前記測定テープの前記他方端部が前記第２の凸部に支持されていない状態での前記短手方向における前記他方端部の前記中央部の前記他方表面の中心に対する接線となす第６の角度は、前記第４の角度よりも小さい、請求項２に記載の巻尺。
【請求項４】
前記第１の角度は前記第５の角度よりも５度以上大きく、前記第２の角度は前記第６の角度よりも５度以上大きい、請求項３に記載の巻尺。
【請求項５】
前記ケース部材は、前記測定テープから前記ケース部材に加わる衝撃を吸収するためのアブソーバを含み、
前記アブソーバに前記開口部が設けられている、請求項１〜４のいずれか１項に記載の巻尺。
【発明の詳細な説明】
【技術分野】
【０００１】
本発明は、巻尺に関し、特に、測定テープを巻き込まれた状態でケース部材に保持可能な巻尺に関するものである。
【背景技術】
【０００２】
巻尺では、測定時にはケース部材から突出した測定テープによって測定対象物の長さ等が測定される。この測定時には、測定対象物の長さ等を測定するためにケース部材から測定テープを直線状に長く突出させることが求められる。ケース部材から測定テープを直線状に長く突出させるために、測定テープの断面形状をＵ字形状に形成することが提案されている。たとえば、特開２００１−２０１３０１号公報（特許文献１）には、測定テープの断面形状をＵ字形状に形成した巻尺が開示されている。
【先行技術文献】
【特許文献】
【０００３】
【特許文献１】特開２００１−２０１３０１号公報
【発明の概要】
【発明が解決しようとする課題】
【０００４】
しかしながら、上記の公報に開示された巻尺では、Ｕ字形状に形成された測定テープの底面の一部がケース部材の開口部の底に当接する。これにより、測定テープの開口部の底に当接した部分に応力が集中するため、測定テープのＵ字形状が広がるように変形する。この結果、測定テープが折れ曲がりやすくなるため、ケース部材から測定テープを直線状に長く突出させることは困難である。
【０００５】
本発明は、上記課題を鑑みてなされたものであり、その目的は、ケース部材から測定テープを直線状に長く突出させることができる巻尺を提供することである。
【課題を解決するための手段】
【０００６】
本発明の巻尺は、測定テープと、ケース部材とを備えている。測定テープは、互いに対向する一方表面および他方表面を有し、直線状の状態から巻き込まれた状態へと変形可能であり、かつ巻き込まれた状態から直線状の状態へ復元しようとする。ケース部材は、測定テープを巻き込まれた状態で保持可能な内部空間と、内部空間に連通し、測定テープを直線状の状態で出し入れ可能な開口部とを有する。測定テープは、短手方向において、中央部と、中央部を挟む一方端部および他方端部とを含み、かつ一方表面側から他方面側に向かって中央部が一方端部および他方端部よりも突出するように湾曲している。開口部は、底部と、底部と対向する天井部と、底部と天井部とが対向する第１の方向に交差する第２の方向における底部の一方端から第１の方向に突出するように設けられた第１の凸部と、第２の方向における底部の他方端から第１の方向に突出するように設けられた第２の凸部とを含んでいる。一方端部が第１の凸部に支持され、かつ他方端部が第２の凸部に支持された状態で、中央部は第１の方向において底部と間隔をあけて配置されている。
【０００７】
本発明の巻尺によれば、一方端部が第１の凸部に支持され、かつ他方端部が第２の凸部に支持された状態で、中央部は第１の方向において底部と間隔をあけて配置されているため、中央部が底部に当接することを防止できる。したがって、中央部が底部に当接することによる測定テープの変形を防止できる。これにより、測定テープの湾曲した形状が保持される。このため、ケース部材から測定テープを直線状に長く突出させることができる。
【０００８】
上記の巻尺では、好ましくは、第１の凸部は一方端部に沿うように設けられた第１の傾斜辺を含んでいる。第２の凸部は他方端部に沿うように設けられた第２の傾斜辺を含んでいる。第２の方向において第１の傾斜辺の底部に沿う線となす第１の角度は、測定テープの一方端部が第１の凸部に支持された状態での短手方向における一方端部の中央部の他方表面の中心に対する接線となす第３の角度よりも大きい。第２の方向において第２の傾斜辺の底部に沿う線となす第２の角度は、測定テープの他方端部が第２の凸部に支持された状態での短手方向における他方端部の中央部の他方表面の中心に対する接線となす第４の角度よりも大きい。
【０００９】
第１の角度は第３の角度よりも大きく、第２の角度は第４の角度よりも大きいため、一方端部および他方端部の傾斜角度が大きくなる。つまり、測定テープが大きく湾曲する。これにより、測定テープの湾曲した形状がしっかりと保持される。このため、ケース部材から測定テープを直線状に長く突出させることができる。
【００１０】
上記の巻尺では、好ましくは、測定テープの一方端部が第１の凸部に支持されていない状態での短手方向における一方端部の中央部の他方表面の中心に対する接線となす第５の角度は、第３の角度よりも小さい。測定テープの他方端部が第２の凸部に支持されていない状態での短手方向における他方端部の中央部の他方表面の中心に対する接線となす第６の角度は、第４の角度よりも小さい。したがって、測定テープが第１の凸部および第２の凸部で強く拘束される。これにより、測定テープの湾曲した形状がさらにしっかりと保持される。このため、ケース部材から測定テープを直線状に長く突出させることができる。
【００１１】
上記の巻尺では、好ましくは、第１の角度は第５の角度よりも５度以上大きく、第２の角度は第６の角度よりも５度以上大きい。これにより、測定テープの湾曲した形状がさらにしっかりと保持される。このため、ケース部材から測定テープを直線状に長く突出させることができる。
【００１２】
上記の巻尺では、好ましくは、ケース部材は、ケース部材に加わる衝撃を吸収するためのアブソーバを含んでいる。アブソーバに開口部が設けられている。このため、アブソーバによって、測定テープの引き戻り時に測定テープからケース部材に加わる衝撃が吸収される。
【発明の効果】
【００１３】
以上説明したように、本発明の巻尺によれば、ケース部材から測定テープを直線状に長く突出させることができる。
【図面の簡単な説明】
【００１４】
【図１】本発明の実施の形態１における巻尺の概略斜視図である。
【図２】本発明の実施の形態１における巻尺の概略側面図である。
【図３】図２のＩＩＩ−ＩＩＩ線に沿う概略断面図である。
【図４】図３のＰ１部の拡大図である。
【図５】本発明の実施の形態１における測定テープの概略断面図である。
【図６】本発明の実施の形態２における巻尺の概略斜視図である。
【図７】本発明の実施の形態２における巻尺の概略側面図である。
【図８】図７のＶＩＩＩ−ＶＩＩＩ線に沿う概略断面図である。
【図９】図７のＩＸ−ＩＸ線に沿う概略断面図である。
【図１０】図８のＰ２部の拡大図である。
【図１１】本発明の実施の形態２におけるアブソーバの概略斜視図である。
【発明を実施するための形態】
【００１５】
以下、本発明の実施の形態について図に基づいて説明する。
（実施の形態１）
最初に本発明の実施の形態１における巻尺の構成について説明する。
【００１６】
図１および図２を参照して、本実施の形態の巻尺１は、測定テープ１０と、ケース部材２０とを主に有している。巻尺１は、測定テープ１０で測定対象物の長さ等を測定するためのものである。巻尺１は、測定テープ１０をケース部材２０に出入可能に構成されている。測定テープ１０は長手方向ＬＤにケース部材２０に出入するように形成されている。また、測定テープ１０は短手方向ＳＤに凹状に湾曲している。短手方向ＳＤは長手方向ＬＤと交差する方向である。
【００１７】
図２および図３を参照して、測定テープ１０は、互いに対向する一方表面１１および他方表面１２を有している。測定テープ１０は、直線状の状態から巻き込まれた状態へと変形可能であり、かつ巻き込まれた状態から直線状の状態へ復元しようとするように構成されている。測定テープ１０は、バネとして機能するようにバネ性を有している。測定テープ１０の材料としては、たとえば炭素鋼材、ステンレス材などを用いることが可能である。測定テープ１０は、先端に爪部１３を有している。
【００１８】
ケース部材２０は、内部空間ＩＳと、開口部２０ａとを有している。内部空間ＩＳは、ケース部材２０の内側に設けられている。内部空間ＩＳは、測定テープ１０を巻き込まれた状態で保持可能に構成されている。開口部２０ａは内部空間ＩＳに連通し、測定テープ１０を直線状の状態で出し入れ可能に構成されている。
【００１９】
図４を参照して、測定テープ１０は、短手方向ＳＤにおいて、一方端部１０ａと、他方端部１０ｂと、中央部１０ｃとを有している。一方端部１０ａと他方端部１０ｂとは中央部１０ｃを挟んで配置されている。測定テープ１０は、一方表面１１側から他方表面１２側に向かって中央部１０ｃが一方端部１０ａおよび他方端部１０ｂよりも突出するように湾曲している。
【００２０】
開口部２０ａは、第１の凸部２１と、第２の凸部２２と、底部２３と、天井部２４とを有している。天井部２４は底部２３と対向するように構成されている。底部２３と天井部２４とが対向する方向が第１の方向Ｄ１であり、第１の方向Ｄ１に交差する方向が第２の方向Ｄ２である。
【００２１】
第１の凸部２１は、第２の方向Ｄ２における底部２３の一方端から第１の方向Ｄ１に突出するように設けられている。第１の凸部２１は、測定テープ１０の一方端部１０ａと当接することで一方端部１０ａを支持可能に形成されている。
【００２２】
第１の凸部２１は、測定テープ１０の一方端部１０ａに沿うように設けられた第１の傾斜辺２１ａを有している。第１の傾斜辺２１ａは第２の凸部２２側に高さが低くなるように形成されている。第１の傾斜辺２１ａは、第１の傾斜辺２１ａから内部空間ＩＳに向かって延在する傾斜面の一部を構成している。
【００２３】
第２の凸部２２は、第２の方向Ｄ２における底部２３の他方端から第１の方向Ｄ１に突出するように設けられている。第２の凸部２２は、測定テープ１０の他方端部１０ｂと当接することで他方端部１０ｂを支持可能に形成されている。
【００２４】
第２の凸部２２は、測定テープ１０の他方端部１０ｂに沿うように設けられた第２の傾斜辺２２ａを有している。第２の傾斜辺２２ａは第１の凸部２１側に高さが低くなるように形成されている。第２の傾斜辺２２ａは、第２の傾斜辺２２ａから内部空間ＩＳに向かって延在する傾斜面の一部を構成している。
【００２５】
測定テープ１０の一方端部１０ａが第１の凸部２１に支持され、かつ他方端部１０ｂが第２の凸部２２に支持された状態で、中央部１０ｃは第１の方向Ｄ１において底部２３と間隔をあけて配置されている。したがって、測定テープ１０の中央部１０ｃはケース部材２０の底部２３に当接していない。
【００２６】
第２の方向Ｄ２において第１の傾斜辺２１ａの底部２３に沿う線となす第１の角度θ１は、測定テープ１０の一方端部１０ａが第１の凸部２１に支持された状態での短手方向ＳＤにおける一方端部１０ａの中央部１０ｃの他方表面１２の中心Ｏに対する接線Ｌとなす第３の角度θ３よりも大きい。第２の方向Ｄ２において第２の傾斜辺２２ａの底部２３に沿う線となす第２の角度θ２は、測定テープ１０の他方端部１０ｂが第２の凸部２２に支持された状態での短手方向ＳＤにおける他方端部１０ｂの中央部１０ｃの他方表面１２の中心Ｏに対する接線Ｌとなす第４の角度θ４よりも大きい。
【００２７】
図４および図５を参照して、測定テープ１０の一方端部１０ａが第１の凸部２１に支持されていない状態での短手方向ＳＤにおける一方端部１０ａの中央部１０ｃの他方表面１２の中心Ｏに対する接線Ｌとなす第５の角度θ５は、第３の角度θ３よりも小さい。測定テープ１０の他方端部１０ｂが第２の凸部２２に支持されていない状態での短手方向ＳＤにおける他方端部１０ｂの中央部１０ｃの他方表面１２の中心Ｏに対する接線Ｌとなす第６の角度θ６は、第４の角度θ４よりも小さい。
【００２８】
また、第１の角度θ１は第５の角度θ５よりも５度以上大きく、第２の角度θ２は第６の角度θ６よりも５度以上大きい。
【００２９】
次に、本実施の形態の作用効果について説明する。
本実施の形態の巻尺１によれば、一方端部１０ａが第１の凸部２１に支持され、かつ他方端部１０ｂが第２の凸部２２に支持された状態で、中央部１０ｃは第１の方向Ｄ１において底部２３と間隔をあけて配置されているため、中央部１０ｃが底部２３に当接することを防止できる。したがって、中央部１０ｃが底部２３に当接することによる測定テープ１０の変形を防止できる。これにより、測定テープ１０の湾曲した形状が保持される。このため、ケース部材２０から測定テープ１０を直線状に長く突出させることができる。
【００３０】
また、本実施の形態の巻尺１によれば、第１の角度θ１は第３の角度θ３よりも大きく、第２の角度θ２は第４の角度θ４よりも大きいため、一方端部１０ａおよび他方端部１０ｂの傾斜角度が大きくなる。つまり、測定テープ１０が大きく湾曲する。これにより、測定テープ１０の湾曲した形状がしっかりと保持される。このため、ケース部材２０から測定テープ１０を直線状に長く突出させることができる。
【００３１】
また、本実施の形態の巻尺１によれば、第５の角度θ５は、第３の角度θ３よりも小さく、第６の角度θ６は、第４の角度θ４よりも小さい。したがって、測定テープ１０が第１の凸部２１および第２の凸部２２で強く拘束される。これにより、測定テープ１０の湾曲した形状がさらにしっかりと保持される。このため、ケース部材２０から測定テープ１０を直線状に長く突出させることができる。
【００３２】
また、本実施の形態の巻尺１によれば、第１の角度θ１は第５の角度θ５よりも５度以上大きく、第２の角度θ２は第６の角度θ６よりも５度以上大きい。これにより、測定テープ１０の湾曲した形状がさらにしっかりと保持される。このため、ケース部材２０から測定テープ１０を直線状に長く突出させることができる。
【００３３】
（実施の形態２）
図６を参照して、本発明の実施の形態２の巻尺１では、本発明の実施の形態１の巻尺１と対比して、アブソーバ３０を備えている点で主に異なっている。なお、本発明の実施の形態１と同一の機能を果たす要素には同一の参照符号を付し、その説明は、特に必要がなければ繰り返さない。
【００３４】
図７〜図９を参照して、巻尺１のケース部材２０は、ケース部材２０に加わる衝撃を吸収するためのアブソーバ３０を有している。測定テープ１０の引き戻り時に測定テープ１０によってケース部材２０に衝撃が加えられる。この際、特に、測定テープ１０の爪部１３によってケース部材２０に衝撃が加えられる。アブソーバ３０はこの衝撃を吸収するためのものである。アブソーバ３０は弾性の大きな材料で形成されている。アブソーバ３０の材料としては、たとえばポリアセタール（ＰＯＭ）を用いることが可能である。
【００３５】
図１０および図１１を参照して、アブソーバ３０は測定テープ１０がケース部材２０に出入する部分に設けられている。したがって、アブソーバ３０に開口部２０ａが設けられている。つまり、アブソーバ３０に、第１の凸部２１と、第２の凸部２２と、底部２３と、天井部２４とが設けられている。底部２３と天井部２４とが対向する第１の方向Ｄ１に交差する第２の方向Ｄ２における底部２３の一方端から第１の方向Ｄ１に突出するように第１の凸部２１が設けられている。第１の凸部２１は第１の傾斜辺２１ａを有している。また、第２の方向Ｄ２における底部２３の他方端から第１の方向Ｄ１に突出するように第２の凸部２２が設けられている。第２の凸部２２は第２の傾斜辺２２ａを有している。
【００３６】
測定テープ１０の一方端部１０ａが第１の凸部２１に支持され、かつ他方端部１０ｂが第２の凸部２２に支持された状態で、中央部１０ｃは第１の方向Ｄ１において底部２３と間隔をあけて配置されている。
【００３７】
第１の角度θ１は第３の角度θ３よりも大きく、第２の角度θ２は第４の角度θ４よりも大きい。本実施の形態では第１の角度θ１は底部２３よりも第１の凸部２１側で形成されており、第２の角度θ２は底部２３よりも第２の凸部２２側で形成されている。また、第５の角度θ５は、第３の角度θ３よりも小さく、第６の角度θ６は、第４の角度θ４よりも小さい。さらに、第１の角度θ１は第５の角度θ５よりも５度以上大きく、第２の角度θ２は第６の角度θ６よりも５度以上大きい。
【００３８】
本実施の形態の巻尺１によれば、アブソーバ３０に開口部２０ａが設けられている。このため、アブソーバ３０によって、測定テープ１０の引き戻り時に測定テープ１０からケース部材２０に加わる衝撃が吸収される。これにより、巻尺１の耐久性を向上することができる。
【００３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４０】
１  巻尺、１０  測定テープ、１０ａ  端部、１０ｂ  他方端部、１０ｃ  中央部、１１  一方表面、１２  他方表面、１３  爪部、２０  ケース部材、２０ａ  開口部、２１  第１の凸部、２１ａ  第１の傾斜辺、２２  第２の凸部、２２ａ  第２の傾斜辺、２３  底部、２４  天井部、３０  アブソーバ、Ｄ１  第１の方向、Ｄ２  第２の方向、ＩＳ  内部空間、Ｌ  接線、ＬＤ  長手方向、Ｏ  中心、ＳＤ  短手方向、θ１〜θ６  第１〜第６の角度。
【図１】
2014106193.tif 000003
【図２】
2014106193.tif 000004
【図３】
2014106193.tif 000005
【図４】
2014106193.tif 000006
【図５】
2014106193.tif 000007
【図６】
2014106193.tif 000008
【図７】
2014106193.tif 000009
【図８】
2014106193.tif 000010
【図９】
2014106193.tif 000011
【図１０】
2014106193.tif 000012
【図１１】
2014106193.tif 000013